(57)【要約】【課題】最良のライトストラテジを効率よく求めるのに最適なグラフィカルユーザインターフェースを提供する。【解決手段】本発明のグラフィカルユーザインターフェースは、光ディスク記録装置に接続可能なホストコンピュータを対象としたプログラムで使用するグラフィカルユーザインターフェースであって、ホストコンピュータ用プログラムは、光ディスク記録装置の位相誤差測定手段15にて検出された位相誤差情報を受信しグラフィック表示装置26にヒストグラムを出力する機能と、ヒストグラムを用いて入力装置27により入力された設定値に基づいてライトストラテジを決定する機能を有する。【選択図】図１
2007042248.tif 000002
【特許請求の範囲】
【請求項１】
グラフィック表示装置と入力装置を備え、光ディスク記録装置に接続可能なホストコンピュータを対象としたプログラムで使用するグラフィカルユーザインターフェースであって、
前記光ディスク記録装置は、
レーザー発光規則を決定するライトストラテジ設定部と、前記レーザー発光規則にしたがって記録媒体の記録面にレーザー光を照射して記録データを記録する記録部と、前記記録媒体からの再生ＲＦ信号を出力するとともに前記再生ＲＦ信号からデータ抽出クロック信号を生成する再生部と、前記再生ＲＦ信号から前記データ抽出クロック信号との位相差を、記録されたマーク長毎に位相誤差として検出する位相誤差測定手段とを具備し、
前記ホストコンピュータ用プログラムは、
前記位相誤差測定手段にて検出された位相誤差情報を受信し、前記グラフィック表示装置にヒストグラムを出力する機能と、
前記ヒストグラムを用いて前記入力装置により入力された設定値に基づいてライトストラテジを決定し、決定されたライトストラテジを前記ライトストラテジ設定部に設定する機能とを備える、グラフィカルユーザインターフェース。
【請求項２】
グラフィック表示装置と入力装置を備え、光ディスク再生装置に接続可能なホストコンピュータを対象としたプログラムで使用するグラフィカルユーザインターフェースであって、
前記光ディスク再生装置は、
記録媒体の記録面にレーザー光を照射して、前記記録媒体からの再生ＲＦ信号を出力する再生部と、前記再生部からの再生ＲＦ信号からデータ抽出クロック信号を生成し、前記再生ＲＦ信号から前記データ抽出クロック信号との位相差を、記録されたマーク長毎に位相誤差として検出する位相誤差測定手段とを具備し、
前記ホストコンピュータ用プログラムは、
前記位相誤差測定手段にて検出された位相誤差情報を受信し、前記グラフィック表示装置にヒストグラムを出力する機能と、
前記ヒストグラムを用いて前記入力装置により入力された設定値に基づいてライトストラテジを決定し、決定されたライトストラテジを前記ホストコンピュータの記憶装置に保存する機能とを備える、グラフィカルユーザインターフェース。
【請求項３】
前記ホストコンピュータ用プログラムは、前記入力装置により前記グラフィック表示装置に表示された特定のヒストグラムを指定するとそのヒストグラムを拡大表示する機能を備えた、請求項１又は請求項２に記載のグラフィカルユーザインターフェース。
【請求項４】
前記ホストコンピュータ用プログラムは、前記グラフィック表示装置に表示されているヒストグラムそれぞれの平均値、標準偏差、０からの偏差を計算し前記グラフィック表示装置に表示する機能を備えた、請求項１又は請求項２に記載のグラフィカルユーザインターフェース。
【請求項５】
前記ホストコンピュータ用プログラムは、前記ヒストグラムに対応したライトストラテジの設定項目をヒストグラムのそばに表示させ、その値を入力装置により変更できる機能を備えた、請求項１又は請求項２に記載のグラフィカルユーザインターフェース。
【請求項６】
前記ホストコンピュータ用プログラムは、決定されたライトストラテジを光ディスク記録装置に転送し、そのライトストラテジを用いてデータを記録媒体上に記録する機能を備えた、請求項１に記載のグラフィカルユーザインターフェース。
【請求項７】
前記位相誤差測定手段は、記録されたマーク長及びそのマーク直前又は直後のスペース長の組合せ毎に位相誤差として検出する、請求項1または請求項2に記載のグラフィカルユーザインターフェース。
【発明の詳細な説明】
【技術分野】
【０００１】
本発明は、光ディスク記録装置、光ディスク再生装置における記録条件最適化手法に関するものである。
【背景技術】
【０００２】
記録媒体に対してマークの前端と後端に情報を記録するマークエッジ記録方式を用いた情報記録装置においては、前記記録媒体からの再生ＲＦ信号とその再生ＲＦ信号から生成されるデータ抽出クロック信号との位相差が小さいほど、つまりジッターが小さいほど、再生時の誤り率が小さくなる。そのため、誤りなく再生できるようにするため、再生ジッターが小さくなるように記録する必要がある。
また、ライトストラテジ設定部を持った光ディスク記録装置においては、このライトストラテジ（レーザ発光波形規則）を調整することにより記録媒体に生成される記録マークの大きさやデータ抽出クロック信号との位相誤差を調整することが出来る。つまり、誤りなく再生が出来るように記録するためには、ライトストラテジの調整は重要な要素である。
【０００３】
このライトストラテジは記録装置の特性、記録媒体の種類によって異なるため、記録媒体ごとに数多くのライトストラテジを求める必要がある。そのため、特許文献１乃至特許文献７のように、自動的に最適なライトストラテジを求める手法が数多く考案されている。
【特許文献１】特開２００３−３０８３７号公報
【特許文献２】特開２００４−１４６０４０号公報
【特許文献３】特開２００４−３５５７２７号公報
【特許文献４】特開２００５−１４９５８０号公報
【特許文献５】特開２００５−４８８７号公報
【特許文献６】特開２００５−４８８８号公報
【特許文献７】特開２００４−２９６０６８号公報
【発明の開示】
【発明が解決しようとする課題】
【０００４】
しかし、自動化された手法では常に最適のライトストラテジを求められるとは限らない。そこで、求められたライトストラテジの善し悪しを判断する必要と、自動化手法では調整し切れていない項目があればさらに作業者が微調整を行う必要がある。
【０００５】
従来のライトストラテジを自動で求めるための手法は、ライトストラテジの品質を値でのみ示している。たとえばジッター値であったり、各位相誤差の平均値であったり、分布の広がり値などである。
【０００６】
ところが人が検査する場合においては、測定結果を一つの数字としてだけではなく面としての広がりを持った図で提示した方が直感的に理解しやすい。そこで、本発明者は、位相誤差をヒストグラムとして図で扱うことにより一目でそのときのライトストラテジの優劣を判断することができると同時に、どの設定に問題があるかも一目で判断することが出来ると考えた。そこで、ライトストラテジの修正手段もあわせて用意することにより、評価、問題の認識、修正、再評価を連続して効率的に行うことが出来ると考えた。
【０００７】
本発明は、前記従来の課題を解決するもので、最良のライトストラテジを効率よく求めるのに最適なグラフィカルユーザインターフェースを提供することを目的とする。
【課題を解決するための手段】
【０００８】
前記従来の課題を解決するために、本発明のグラフィカルユーザインターフェースは、光ディスク記録装置又は光ディスク再生装置に接続可能なホストコンピュータを対象としたプログラムで使用するグラフィカルユーザインターフェースであって、前記ホストコンピュータ用プログラムは、光ディスク記録装置の位相誤差測定手段にて検出された位相誤差情報を受信し、グラフィック表示装置にヒストグラムを出力する機能と、前記ヒストグラムを用いて前記入力装置により入力された設定値に基づいてライトストラテジを決定する機能を有する。例えば、マークの前端、後端のデータ抽出クロック信号に対する位相誤差を前スペース長：自マーク長、自マーク長：後スペース長の組合わせでグループ化しそれぞれのグループでの位相誤差をヒストグラムとしてホストコンピュータのグラフィック表示装置に表示する。このヒストグラムの平均、広がり、形を見ることにより、作業者はどのグループの位相誤差に問題があるかを容易に判断することができ、ライトストラテジのどのパラメータを修正すれば記録品質がより良くなるのかを知ることが出来る。
【０００９】
またそのヒストグラムに対応した、ライトストラテジのパラメータをヒストグラムのそばに表示させ、その値を入力装置により変更できるようにする。
【００１０】
また、調整されたライトストラテジを光ディスク記録装置に転送し、そのライトストラテジを用いてデータを記録媒体上に記録する機能を持たせる。
【００１１】
上述のように、調整前もしくは自動調整後のライトストラテジの問題がある部分を見つけ出し、さらに手動でライトストラテジの微調整を行うときに最適なグラフィカルユーザインターフェースを考案する。
【発明の効果】
【００１２】
本発明を利用することにより、検査と調整を連続的に行えるため記録媒体に応じた最良のライトストラテジを短時間で求めることが出来る。
【発明を実施するための最良の形態】
【００１３】
本発明のグラフィカルユーザインターフェースは、グラフィック表示装置と入力装置を備え、光ディスク記録装置に接続可能なホストコンピュータを対象としたプログラムで使用するグラフィカルユーザインターフェースであって、前記光ディスク記録装置は、レーザー発光規則を決定するライトストラテジ設定部と、前記レーザー発光規則にしたがって記録媒体の記録面にレーザー光を照射して記録データを記録する記録部と、前記記録媒体からの再生ＲＦ信号を出力するとともに前記再生ＲＦ信号からデータ抽出クロック信号を生成する再生部と、前記再生ＲＦ信号から前記データ抽出クロック信号との位相差を、記録されたマーク長毎に位相誤差として検出する位相誤差測定手段とを具備し、前記ホストコンピュータ用プログラムは、前記位相誤差測定手段にて検出された位相誤差情報を受信し、前記グラフィック表示装置にヒストグラムを出力する機能と、前記ヒストグラムを用いて前記入力装置により入力された設定値に基づいてライトストラテジを決定し、決定されたライトストラテジを前記ライトストラテジ設定部に設定する機能とを備える。
【００１４】
また本発明の他のグラフィカルユーザインターフェースは、グラフィック表示装置と入力装置を備え、光ディスク再生装置に接続可能なホストコンピュータを対象としたプログラムで使用するグラフィカルユーザインターフェースであって、
前記光ディスク再生装置は、記録媒体の記録面にレーザー光を照射して、前記記録媒体からの再生ＲＦ信号を出力する再生部と、前記再生部からの再生ＲＦ信号からデータ抽出クロック信号を生成し、前記再生ＲＦ信号から前記データ抽出クロック信号との位相差を、記録されたマーク長毎に位相誤差として検出する位相誤差測定手段とを具備し、前記ホストコンピュータ用プログラムは、前記位相誤差測定手段にて検出された位相誤差情報を受信し、前記グラフィック表示装置にヒストグラムを出力する機能と、前記ヒストグラムを用いて前記入力装置により入力された設定値に基づいてライトストラテジを決定し、決定されたライトストラテジを前記ホストコンピュータの記憶装置に保存する機能とを備える。
【００１５】
（実施の形態１）
以下、本発明の実施の形態について、エンドユーザーが光ディスク記録装置とホストコンピュータを接続して実施する形態を、図を用いて説明する。
【００１６】
図１は本実施形態に係る光ディスク記録装置の構成ブロック図である。ＤＶＤ−Ｒなどの記録可能な光ディスク１０は、図示しないスピンドルモーターによって回転駆動される。
【００１７】
光ピックアップ１１は光ディスク１０の記録面に対して対向配置され、光ピックアップ１１内にあるレーザーダイオードから光ディスク１０に対して光を照射する。レーザーダイオードはレーザー制御手段２５により再生時には再生レーザーパワーで、記録時には記録レーザーパワーで駆動される。
【００１８】
レーザーダイオードから発せられた光は光ディスク１０の記録面で反射し、光ピックアップ１１内にある光ディテクタにより電気信号１００に変換される。
【００１９】
光ディテクタにより変換された電気信号１００はプリアンプ１２で増幅され、増幅された信号１０１はＡＧＣ、イコライザー１３により波形整形され、波形整形されたアナログ信号１０２はＡ／Ｄ変換手段１４に入力される。
【００２０】
Ａ／Ｄ変換手段１４で数値化された情報１０３はＰＬＬ手段１６と、パターン検出同期手段１９に送られる。パターン検出同期手段１９で生成された同期信号１０５はタイミング制御手段２０へ送られ、ＰＬＬ手段１６はＡ／Ｄ変換手段１４からの数値化された情報１０３とタイミング制御手段２０からのタイミング情報１０７を用いてデータ抽出クロック１０６を生成する。
【００２１】
また、位相誤差測定手段１５はＡ／Ｄ変換手段１４で数値化された情報１０３とデータ抽出クロック１０６とを比較し、当該マーク端の位相誤差情報１０４を求める。
【００２２】
位相誤差情報１０４はコントローラ２１により統計処理される。
【００２３】
コントローラ２１で光ディスク１０に記録する情報１１０を生成する。コントローラ２１により生成された情報１１０はＥＣＣエンコーダ２３でＥＣＣ情報を付加され、ＥＣＣ付き情報１１１は変調手段２４へと出力される。
【００２４】
変調手段２４ではＥＣＣ付き情報１１１を、書き込もうとする光ディスク１０の規格に則って変調を行い記録パターン１１２へと変換する。
【００２５】
レーザー制御手段２５はライトストラテジ設定部を有しており、記録パターン１１２をコントローラ２１から設定されたライトストラテジ１１４に従ってレーザー光の強さ、発光パターン、発光タイミングが調整された記録レーザーパワー１１３に変換される。
【００２６】
記録レーザーパワー１１３は光ピックアップ１１内のレーザーダイオードへと送られ、そこで光信号に変換され、光ディスク面へと記録レーザー光として照射される。
【００２７】
その他、図示されていないが光ピックアップ１１を所望のセクターへ移動させるためのシーク機構、レーザー光を光ディスク１０の記録面へ合焦させるフォーカス機構などにより、指定したセクターでの記録、再生、測定を可能にする。
【００２８】
ホストコンピュータはホストコンピュータ本体２２と光ディスク記録装置からの情報を図示することを可能にするグラフィック表示部２６と、作業者からの指示を光ディスク記録装置に伝えることを可能にするポインティング入力装置２７を備えている。
【００２９】
光ディスク記録装置のコントローラ２１とホストコンピュータ本体２２とは接続されており、コマンド、測定データ、記録データ、ライトストラテジ１０９など双方向にやりとりすることが出来る。
【００３０】
なお、Ａ／Ｄ変換手段１４は一般的にはアナログ信号１０２を数値情報１０３に置き換える手段であれば何でも良く、２値化手段に置き換えることが可能である。
【００３１】
なお、記録される情報１１０はコントローラ２１で生成せず、外部に接続したホストコンピュータ本体２２で生成することも可能である。
【００３２】
なお、ＥＣＣエンコーダー２３による処理は外部に接続したホストコンピュータ本体２２による演算処理に置き換えることが可能である。
【００３３】
なお、変調手段２４は外部に接続したホストコンピュータ本体２２による演算処理に置き換えることが可能である。
【００３４】
なお、位相誤差情報１０４は外部に接続したホストコンピュータ本体２２により統計処理を行うことも可能である。
【００３５】
なお、ポインティング入力装置２７は文字入力装置に置き換えることが可能であり、また併用することも可能である。
図３は位相誤差の検出方法である。一例として図３（ａ）のように３Ｔ長のマーク１３０、４Ｔ長のスペース１３１、６Ｔ長のマーク１３２が順に並んでいるトラックをあげる。このトラックを再生し、ＡＧＣ、イコライザー１３により波形整形すると、波形整形されたアナログ信号１０２は再生ＲＦ信号１３３のようになる。この再生ＲＦ信号１３３を測定する光ディスク１０の規格で示される方法により２値化した波形を２値化後の再生ＲＦ信号１３４に示す。また同時にこの再生ＲＦ信号１３３を測定する光ディスク１０の規格で示される方法により生成したデータ抽出クロック１３５を示す。
ここで、２値化後の再生ＲＦ信号１３４とデータ抽出クロック１３５のエッジの時差１３６，１３７，１３８，１３９が位相誤差である。
【００３６】
図４は記録された自マーク１４６と前後スペースの関係である。データ抽出クロック信号に対する自マーク前端１４８の位相誤差を前スペース長１４１対自マーク長１４２にグループ化して集計し、同様にデータ抽出クロック信号に対する自マーク後端１４９の位相誤差を自マーク長１４２対後スペース長１４３にグループ化して統計処理を行い、その集計結果をホストコンピュータのグラフィック表示装置２６にヒストグラムとして表示する。
【００３７】
図５に形成する記録マークと、その記録マークを形成するためのライトストラテジにより変換されたレーザー発光列の関係を示す。記録マーク前端の位置は主にＴｌｄ１５０，１５１，１５２，１５３により調整可能であり、また記録マーク後端の位置は主にＴｔｒ１５４，１５５，１５６，１５７により調整が可能である。
【００３８】
ここで、ライトストラテジのＴｌｄは前スペース長１４１対自マーク長１４２ごとに、Ｔｔｒは自マーク長１４２対後スペース長１４３ごとに設定できるようにすることで、測定された位相誤差のヒストグラムと設定するライトストラテジのＴｌｄ１５０，１５１，１５２，１５３、Ｔｔｒ１５４，１５５，１５６，１５７は1対1に対応させることができ、直接調整することができるようになる。
【００３９】
なお、すべての位相誤差グループに対して１対１で対応している必要はなく、たとえば長いマーク長や長いスペース長に対する調整は一般に感度が低いため、さらにグループ化することも可能である。また、記録媒体や記録装置の特性によっては一部を省略することも可能であり、例えば、自マーク前縁１４８および自マーク後端１４９の位相誤差を自マーク長１４２だけでグループ化あるいはマーク長及びそのマーク直前又は直後のスペース長の組合せ毎にグループ化して統計処理を行なってもよい。
【００４０】
図６に本発明の主題である、グラフィカルユーザインターフェースについて示す。図６の上段はLeading Edge（Tld）の複数のヒストラム群であり、下段はTrailing Edge(Ttr)の複数のヒストラム群である。例としてヒストグラム図２０１は光ディスク１０上の測定領域の中から、前スペース長１４１が３Ｔ（３ｓと表記）かつ自マーク長１４２が３Ｔ（３ｍと表記）に該当する自マーク前端１４８のデータ抽出クロック信号に対する位相誤差をヒストグラムとして表示したものである。ライトストラテジは約１００〜２００のパラメータにより制御され、その中には３ｓ３ｍの前端の発光タイミングを調整するための項目も含まれている。その値を調整することにより結果的に３ｓ３ｍの位相誤差の平均を変化させることができる。ライトストラテジを制御する多くのパラメータのうちこの３ｓ３ｍ前端の発光タイミングを調整するパラメータの値を増減するためのスライドバー２０２を３ｓ３ｍのヒストグラムの近くに配置する。位相誤差の平均が０に近いほどジッターの少ないよい記録状態である。ヒストグラム図２０１において中心にある破線２０５は位相誤差０を示す。ヒストグラム図２０１においてはヒストグラムの中心２０６は、破線２０５の左側にある。そこで、ヒストグラムの中心つまり位相誤差の平均を０に近づけるためにはヒストグラムを右へ平行移動すればよいことがわかる。ここでスライドバー２０２をポインティング入力装置２７を用いて右へ移動することにより、位相誤差を右へ移動させることに対応するライトストラテジのパラメータが変化する。ここで変更したライトストラテジのパラメータをレーザー制御手段２５に送る。このようにしてヒストグラム２０１の位相誤差の平均のズレをスライドバー２０２を用いて直感的に修正することが出来る。なお、上記実施の形態ではスライドバー２０２を用いてヒストグラムを移動させると捉えたため右へ移動させたが、スライドバー２０２を用いて位相誤差０を示す破線２０５を移動させると捉えた場合は左へ移動させることになる。このように、定義によっては、修正するためのスライドバー２０２の移動方向はどちらであってもかまわない。
【００４１】
ヒストグラム図２０３はヒストグラム図２０1の列（３ｓ３ｍ，４ｓ３ｍ，５ｓ３ｍ，６ｓ３ｍの図）の総和である。この広がり方を見ることで、例では３Ｔ長マークの前端のヒストグラム列のそろい具合が一目で分かる。前スペース長に関わらず自スペース長に基づいてのみ調整するライトストラテジのパラメータを増減するスライドバーを、この近傍に設置することも出来る。
【００４２】
ヒストグラム図２０４はすべてのマークの前端１４８の位相誤差のヒストグラムの総和である。これについてもヒストグラム図２０３と同様で、この広がり方を見ることですべての前端の位相誤差の広がり具合が一目で分かる。またすべてのマークの前端位置を調整するライトストラテジのパラメータを増減するスライドバーを、この近傍に設置することも出来る。
【００４３】
このように、ライトストラテジ調整用スライドバー２０２を対応するヒストグラム図２０１の近傍に表示することにより、ライトストラテジの変更すべきパラメータを直感的に得ることが出来る。ヒストグラム図２０３および２０４は、主に検査目的であり本発明においては省略することも可能である。
【００４４】
また、この例では前スペース長１４１および後スペース長１４３が７Ｔ以上のものつまり７ｓ以上は、個別にヒストグラムを表示せずにスペース長６Ｔの項目つまり６ｓのヒストグラムに加算し重ねて表示している。これは一般的にスペース長およびマーク長が長いものは存在確率が低く、またライトストラテジの対応するパラメータを変化させても位相誤差の変化は短いスペース長や短いマーク長のものに比べて小さい。このように全体の記録品質に対して寄与度が低いものを合算して表示することにより表示および設定項目を減らし簡略化することも可能である。
【００４５】
図６のように、すべてのヒストグラムを一覧で表示すると、どのヒストグラムがずれているか、どのライトストラテジ項目を調整すればよいかが一目で分かる反面、それぞれのヒストグラムが小さくしか表示できない。そこで、任意のヒストグラムをポインティング入力装置２７で指定することにより拡大表示する機能を追加することも可能である。
【００４６】
図７に拡大表示された例を示す。ヒストグラム３００はヒストグラム図２０１のヒストグラムに、スライドバー３０１はスライドバー２０２に対応するものである。表示域が広くなったことで、さらにこれに併せてスライドバーでの設定値を表示する機能とスライドバーを用いず直接に値を設定する機能を備えたテキストボックス３０２を配置することも可能である。
【００４７】
また、ヒストグラムの平均値３０３、０からの偏差３０４、標準偏差３０５などのヒストグラムの数値的特徴をコントローラ２１もしくはホストコンピュータ本体２２で演算してヒストグラムと同時に表示させることも可能である。
【００４８】
さらに、ここで変更したライトストラテジを用いてランダムデータや固定データなど任意のデータを光ディスク１０に記録する機能を追加することも可能である。このように記録する機能を持つことにより、変更したライトストラテジを用いて記録し、その位相誤差を測定してヒストグラムを表示することにより、変更したライトストラテジの効果をすぐに検査することができる。このように、記録・測定・調整をどんどん繰り返すことにより、さらによいライトストラテジを求めることが可能となる。
【００４９】
測定項目をヒストグラムという直感的に善し悪しを認識しやすい形式でグラフィカル表示することと、そのヒストグラムで表示された測定項目を改善するためのライトストラテジのパラメータを近傍に配置することにより、直感的に設定項目を修正することを可能としている。
【００５０】
また、図６のように測定項目を一覧表示させることにより、全体の中でどの測定項目に問題があるかを瞬時に認識することが可能である。
【００５１】
また、図７のように拡大表示させる機能を追加することも可能であり、測定項目を詳細に吟味することも可能である。
【００５２】
また、修正したライトストラテジを用いて光ディスク１０に記録を行う機能を追加し、その場所の位相誤差を測定することにより、修正したライトストラテジの善し悪しを即座に判断することが出来る。
【００５３】
上記に示した、位相誤差測定手段１５にて検出された位相誤差情報１０４をコントローラ２１を経由して受信する機能、グラフィック表示装置２６にヒストグラム２０１を出力する機能、入力装置２７により入力された設定値に基づいてライトストラテジを決定する機能、決定されたライトストラテジをコントローラ２１を経由してレーザー制御手段２５内にあるライトストラテジ設定部に設定する機能はホストコンピュータ本体２２の記録部に記録されているプログラムを用いてホストコンピュータ本体２２により実現される。
【００５４】
（実施の形態２）
本発明を記録品質を診断するための再生装置に組み込んだ場合、その再生装置には必ずしも記録機能およびストラテジ調整機能を有している必要はない。これは請求項２に対応する。具体的には、光ディスク記録装置の開発もしくは光ディスク記録装置の工場出荷時の調整における使用があげられる。
【００５５】
図２は本実施形態に係る光ディスク装置の構成ブロック図である。ＤＶＤ−Ｒなどの記録可能な光ディスク１０は、図示しないスピンドルモーターによって回転駆動される。
【００５６】
光ピックアップ１１は光ディスク１０の記録面に対して対向配置され、光ピックアップ１１内にあるレーザーダイオードから光ディスク１０に対して光を照射する。レーザーダイオードは、コントローラ２１からレーザー制御手段２５に設定された再生レーザーパワー値１１７に従って、レーザー制御手段２５により駆動される。
【００５７】
レーザーダイオードから発せられた光は光ディスク１０の記録面で反射し、光ピックアップ１１内にある光ディテクタにより電気信号１００に変換される。光ディテクタにより変換された電気信号１００はプリアンプ１２で増幅され、増幅された信号１０１はＡＧＣ、イコライザー１３により波形整形され、波形整形されたアナログ信号１０２はＡ／Ｄ変換手段１４に入力される。
【００５８】
Ａ／Ｄ変換手段１４で数値化された情報１０３はＰＬＬ手段１６と、パターン検出同期手段１９に送られる。パターン検出同期手段１９で生成された同期信号１０５はタイミング制御手段２０へ送られ、ＰＬＬ手段１６はＡ／Ｄ変換手段１４からの情報とタイミング制御手段２０からのタイミング情報１０７を用いてデータ抽出クロック１０６を生成する。
【００５９】
また、位相誤差測定手段１５はＡ／Ｄ変換手段１４で数値化された情報１０３とデータ抽出クロック１０６とを比較し、当該マーク端の位相誤差情報１０４を求める。
【００６０】
位相誤差情報１０４はコントローラ２１により統計処理される。
【００６１】
その他、図示されていないが光ピックアップ１１を所望のセクターへ移動させるためのシーク機構、レーザー光を光ディスク面へ合焦させるフォーカス機構などにより、指定したセクターでの再生、測定を可能にする。
【００６２】
ホストコンピュータはホストコンピュータ本体２２と光ディスク記録装置からの情報を図示することを可能にするグラフィック表示部２６と、作業者からの指示を光ディスク記録装置に伝えることを可能にするポインティング入力装置２７を備えている。
【００６３】
光ディスク記録装置のコントローラ２１とホストコンピュータ本体２２とは接続されており、コマンド、測定データ１０９など双方向にやりとりすることが出来る。
【００６４】
なお、Ａ／Ｄ変換手段１４は一般的にはアナログ信号１０２を数値情報１０３に置き換える手段であれば何でも良く、２値化手段に置き換えることが可能である。
【００６５】
なお、位相誤差情報１０４は外部に接続したホストコンピュータ本体２２により統計処理を行うことも可能である。
【００６６】
なお、ポインティング入力装置２７は文字入力装置に置き換えることが可能であり、また併用することも可能である。
【００６７】
別の記録装置において記録された光ディスクを、図２で示した本発明を組み込んだ再生装置をもちいて実施の形態１と同様に位相誤差の測定を行い、スライドバー２０２を用いてライトストラテジのパラメータを変更する。この変更されたライトストラテジのパラメータをホストコンピュータの記録装置に保存し、その後、上記光ディスクに記録を行った光ディスク記録装置に設定する。
【００６８】
実施の形態２の利点は同一の再生装置を用いて複数の光ディスク記録装置の記録を確認・調整することが出来るため、記録に用いる光ディスク記録装置間の再生性能のばらつきを排除することが出来る。
【００６９】
このように、直感的に理解しやすいグラフィカルユーザインターフェースを用いることにより、よりよいライトストラテジを、作業者に対して疲労が少なくそして短時間に導出することが可能になる。
【００７０】
実施の形態１と同様、上記に示した位相誤差測定手段１５にて検出された位相誤差情報１０４をコントローラ２１を経由して受信する機能、グラフィック表示装置２６にヒストグラム２０１を出力する機能、入力装置２７により入力された設定値に基づいてライトストラテジを決定する機能はホストコンピュータ本体２２の記録部に記録されているプログラムを用いてホストコンピュータ本体２２により実現される。
【産業上の利用可能性】
【００７１】
以上のように、本発明にかかるグラフィカルユーザインターフェースを用いると、特別な知識のないユーザーであってもライトストラテジのどのパラメータが問題であるかを容易に判断可能となり、ユーザー自身で光ディスク記録装置の記録条件を最適化することが出来る。
【００７２】
また、光ディスク記録装置の開発もしくは工場での出荷調整において本発明を用いることにより、光ディスク記録装置に内蔵する記録ストラテジの最適化を特に訓練されていない作業者であっても行うことが出来る。
【図面の簡単な説明】
【００７３】
【図１】本発明の実施の形態１における光ディスク記録装置の構成ブロック図
【図２】本発明の実施の形態２における光ディスク再生装置の構成ブロック図
【図３】位相誤差測定方法の説明図
【図４】自マークに対する前後のマーク・スペースの位置関係を示す図
【図５】ディスク上に形成されるマーク、記録パルスと、レーザーダイオード発光パターンのレーザー強度、タイミング関係を示す図
【図６】本発明のグラフィカルユーザインターフェースを示す図
【図７】本発明のグラフィカルユーザインターフェース（拡大）を示す図
【符号の説明】
【００７４】
１０    記録媒体
１１    光ピックアップ
１２    プリアンプ
１３    ＡＧＣ・イコライザー
１４    Ａ／Ｄ変換手段
１５    位相誤差測定手段
１６    ＰＬＬ手段
１９    パターン検出同期手段
２０    タイミング制御手段
２１    コントローラー
２２    ホストコンピュータ本体
２３    ＥＣＣエンコーダー
２４    変調手段
２５    レーザー制御手段
２６    グラフィック表示装置
２７    ポインティング入力装置もしくは文字入力装置
１００,１０１,１０２    ＲＦ信号
１０３    数値化されたＲＦ信号
１０４    位相誤差情報
１０５    パターン検出同期信号
１０６    データ抽出クロック
１０７    タイミング信号
１０９    読み・書き、位相誤差、ライトストラテジ情報
１１０    記録情報
１１１    ＥＣＣコードを付加された記録情報
１１２    変調された記録情報
１１３    記録情報にライトストラテジを適用したレーザー発光パターン
１１４    ライトストラテジ
１１７    再生レーザーパワー値
１１８    再生レーザーパワー
１３０    ３Ｔ長のマーク
１３１    ４Ｔ長のスペース
１３２    ６Ｔ長のマーク
１３３    再生ＲＦ信号
１３４    ２値化後の再生ＲＦ信号
１３５    データ抽出クロック
１３６,１３７,１３８,１３９    位相誤差
１４１    前スペース長
１４２    自マーク長
１４３    後スペース長
１４６    自マーク
１４８    自マークの前端
１４９    自マークの後端
１５０,１５１,１５２,１５３    ライトストラテジにおける自マークの前端発光タイミング
１５４,１５５,１５６,１５７    ライトストラテジにおける自マークの後端発光タイミング
２０１    前スペース長対自マーク長、もしくは自マーク長対後スペース長でグループ化された位相誤差のヒストグラム
２０２    ２０１に対応するライトストラテジ項目を設定する為のスライドバー
２０３    ヒストグラム２０１を自マーク長でさらにグループ化した位相誤差のヒストグラム
２０４    すべてのマークの前端および後端の位相誤差をそれぞれグループ化したヒストグラム
２０５    位相誤差０を示す線
２０６    測定された位相誤差の平均
３００    拡大表示されたヒストグラム２０１
３０１    拡大表示された、ライトストラテジのパラメータを設定する為のスライドバー２００
３０２    ３０１に対応する値を文字入力することが可能なテキストボックス
３０３    位相誤差の平均値
３０４    位相誤差の０に対する偏差
３０５    位相誤差の標準偏差
【図１】
2007042248.tif 000003
【図２】
2007042248.tif 000004
【図３】
2007042248.tif 000005
【図４】
2007042248.tif 000006
【図５】
2007042248.tif 000007
【図６】
2007042248.tif 000008
【図７】
2007042248.tif 000009